(57)【要約】【課題】簡易な構成で、光学ズームを伴う自分撮りを快適に行える撮像装置を提供する。【解決手段】デジタルカメラ１の前面には、撮影画像の表示が可能な前面表示部１１と、屈折光学系を利用しズーム時にも筐体１０から突出しない撮影レンズ部の開口部１２とが設けられている。また、デジタルカメラ１の背面には、撮影画像の表示が可能な背面表示部２１が設けられている。このデジタルカメラ１で自分自身を撮影する場合には、前面表示部１１で容易に構図を確認できるとともに、ズーム操作時でも撮影レンズ部の鏡胴が突出しないため、鏡胴で前面表示部１１の表示画面が隠れることもない。その結果、簡易な構成で、光学ズームを伴う自分撮りを快適に行えることとなる。【選択図】        図１
2004241883.tif 000002
【特許請求の範囲】
【請求項１】
被写体に係る画像データを取得する撮像手段を有する撮像装置であって、
（ａ）前記被写体と対向する前記撮像装置の前面に設けられ、前記画像データに基づく表示が可能な第１表示部と、
（ｂ）前記撮像装置の前面と異なる所定面に設けられ、前記画像データに基づく表示が可能な第２表示部と、
（ｃ）焦点距離の変更可能なズームレンズ部と、
を備え、
前記ズームレンズ部の入射面は、ズーム時でも前記撮像装置の前面に対する相対位置が不変であることを特徴とする撮像装置。
【請求項２】
請求項１に記載の撮像装置において、
（ｄ）電池を保持する電池保持部と
（ｅ）記録媒体を保持する媒体保持部と、
をさらに備え、
前記第１表示部は、前記第２表示部、前記ズームレンズ部、前記電池保持部および前記媒体保持部のうち２以上の部位と、前記撮像装置の奥行き方向に関して重畳しないように配設されることを特徴とする撮像装置。
【請求項３】
請求項１または請求項２に記載の撮像装置において、
（ｆ）前記第１表示部によって被写体を照明する照明モードに設定する手段、
をさらに備えることを特徴とする撮像装置。
【請求項４】
請求項１ないし請求項３のいずれかに記載の撮像装置において、
（ｇ）被写体をマクロ撮影するマクロ撮影モードに設定する設定手段と、
（ｈ）フラッシュ部での発光を指示する発光指示手段と、
（ｉ）前記第１表示部の画面を単一色で点灯させる点灯制御手段と、
（ｊ）前記マクロ撮影モードに設定される場合には、前記発光指示手段を不能化して前記フラッシュ部での発光を禁止するとともに、前記点灯制御手段を能動化して前記第１表示部により被写体を照明する制御手段と、
をさらに備えることを特徴とする撮像装置。
【請求項５】
請求項３または請求項４に記載の撮像装置において、
前記第１表示部では、照明色および／または輝度が変更可能であることを特徴とする撮像装置。
【発明の詳細な説明】
【０００１】
【発明の属する技術分野】
本発明は、被写体に係る画像データを取得する撮像手段を有する撮像装置に関する。
【０００２】
【従来の技術】
デジタルカメラ（撮像装置）においては、撮像内容などを表示する表示部を有することが通例である。そして、この表示部を、自分自身を撮影するためにデジタルカメラの前面側に回転させて保持できるものも商品化されている（非特許文献１参照）。
【０００３】
また、非特許文献２では、自分を撮影するために、撮影レンズ部を回動自在とした、いわゆるスインバル機能を有するデジタルカメラが開示されている。
【０００４】
さらに、カメラ付き携帯電話では、自分を撮影するため、撮影レンズの開口面（光入射面）側に表示部が設けられるものがある（非特許文献３参照）。なお、この携帯電話は、上記表示部の反対側（背面）に別の表示部も設けられている。
【０００５】
【非特許文献１】
ペンタックス（株）、”Ｏｐｔｉｏ３３０ＧＳ”、［平成１５年１月２８日検索］、インターネット＜ＵＲＬ：ｈｔｔｐ：／／ｗｗｗ．ｄｉｇｉｔａｌ．ｐｅｎｔａｘ．ｃｏ．ｊｐ／ｊａ／ｏｐｔｉｏ３３０ｇｓ／ｉｎｄｅｘ．ｈｔｍｌ＞
【非特許文献２】
（株）ニコン、”ＣＯＯＬＰＩＸ４５００”、［平成１５年１月２８日検索］、インターネット＜ＵＲＬ：ｈｔｔｐ：／／ｗｗｗ．ｎｉｋｏｎ−ｉｍａｇｅ．ｃｏｍ／ｊｐｎ／ｐｒｏｄｕｃｔｓ／ｄｉｇｉｔａｌ／ｃｏｏｌｐｉｘ４５００．ｈｔｍ＞
【非特許文献３】
シャープ（株）、”Ｊ−ＳＨ５２”、［平成１５年１月２８日検索］、インターネット＜ＵＲＬ：ｈｔｔｐ：／／ｗｗｗ．ｓｈａｒｐ．ｃｏ．ｊｐ／ｐｒｏｄｕｃｔｓ／ｊｓｈ５２／ｉｎｄｅｘ．ｈｔｍｌ＞
【０００６】
【発明が解決しようとする課題】
しかしながら、非特許文献１および非特許文献２の技術では、表示部や撮影レンズ部を回動自在にする必要があるため、この可動部に用いる外装部材が増加し構成が複雑となる。これは、カメラの厚みを増加させたりコストアップの要因となる。また、可動部を有するため、その耐久性や操作性において問題がある。
【０００７】
非特許文献３の技術では、撮影レンズは光学ズームレンズでないため、変倍を適切に行えず、快適な撮影が困難である。
【０００８】
本発明は、上記課題に鑑みてなされたものであり、簡易な構成で、光学ズームを伴う自分撮りを快適に行える撮像装置を提供することを目的とする。
【０００９】
【課題を解決するための手段】
上記の課題を解決するため、請求項１の発明は、被写体に係る画像データを取得する撮像手段を有する撮像装置であって、（ａ）前記被写体と対向する前記撮像装置の前面に設けられ、前記画像データに基づく表示が可能な第１表示部と、（ｂ）前記撮像装置の前面と異なる所定面に設けられ、前記画像データに基づく表示が可能な第２表示部と、（ｃ）焦点距離の変更可能なズームレンズ部とを備え、前記ズームレンズ部の入射面は、ズーム時でも前記撮像装置の前面に対する相対位置が不変である。
【００１０】
また、請求項２の発明は、請求項１の発明に係る撮像装置において、（ｄ）電池を保持する電池保持部と（ｅ）記録媒体を保持する媒体保持部とをさらに備え、前記第１表示部は、前記第２表示部、前記ズームレンズ部、前記電池保持部および前記媒体保持部のうち２以上の部位と、前記撮像装置の奥行き方向に関して重畳しないように配設される。
【００１１】
また、請求項３の発明は、請求項１または請求項２の発明に係る撮像装置において、（ｆ）前記第１表示部によって被写体を照明する照明モードに設定する手段をさらに備える。
【００１２】
また、請求項４の発明は、請求項１ないし請求項３のいずれかの発明に係る撮像装置において、（ｇ）被写体をマクロ撮影するマクロ撮影モードに設定する設定手段と、（ｈ）フラッシュ部での発光を指示する発光指示手段と、（ｉ）前記第１表示部の画面を単一色で点灯させる点灯制御手段と、（ｊ）前記マクロ撮影モードに設定される場合には、前記発光指示手段を不能化して前記フラッシュ部での発光を禁止するとともに、前記点灯制御手段を能動化して前記第１表示部により被写体を照明する制御手段とをさらに備える。
【００１３】
また、請求項５の発明は、請求項３または請求項４の発明に係る撮像装置において、前記第１表示部では、照明色および／または輝度が変更可能である。
【００１４】
【発明の実施の形態】
＜デジタルカメラの要部構成＞
図１は、本発明の実施形態に係るデジタルカメラ１を示す外観図である。図１（ａ）および図１（ｂ）は、デジタルカメラ１Ａを斜め前方および後方から見た図である。
【００１５】
デジタルカメラ１は、撮像装置として機能し、直方体状の筐体１０を有している。
【００１６】
デジタルカメラ１の前面には、前面表示部１１と、撮影レンズ部（後述）の開口部１２と、フラッシュ部１３とが設けられている。また、デジタルカメラ１の上面には、シャッターボタン１４が設けられている。
【００１７】
前面表示部（第１表示部）１１は、例えば透過型の液晶ディスプレイで構成され、ＣＣＤ２６（図２）で取得した被写体の画像を表示できる構成となっている。また、前面表示部１１では、バックライトが通常の白色ＬＥＤでなく、赤・緑・青（ＲＧＢ）の各ＬＥＤを近傍に並べて各々の印加電圧を変更することで、白色を含め複数の発色が可能となっている。これにより、後述するように前面表示部１１で被写体を照明する場合、様々な色彩で発光することが可能となる。
【００１８】
撮影レンズの開口部（開口面）１２は、被写体と対向するデジタルカメラ１の前面に配設されている。
【００１９】
フラッシュ部１３は、被写体に対して発光を行う部位である。
【００２０】
シャッターボタン１４は、ユーザの操作により撮影を指示する部位である。
【００２１】
また、デジタルカメラ１の背面（前面と異なる所定面）には、背面表示部２１と、スイッチ群２２と、２つのズーム操作ボタン２３（２３ａ、２３ｂ）と、２つの露出補正ボタン２４（２４ａ、２４ｂ）とが設けられている。
【００２２】
背面表示部（第２表示部）２１は、例えば透過型の液晶ディスプレイで構成され、前面表示部１１と同様に、ＣＣＤ２６（図２）で取得した被写体の画像を表示できる構成となっている。この背面表示部２１と撮影レンズ部２５の開口部１２とは対峙するデジタルカメラ１の広い主面（前面および背面）に配置されている。また、背面表示部２１と前面表示部１１とは、バックライトを兼用しない別々のディスプレイであるため、前面表示部１１が点灯している場合には、背面表示部２１に前面表示部１１が点灯中である旨の警告を表示でき、ユーザの注意を喚起できる。
【００２３】
さらに、非特許文献３の技術では、前面と背面とに設けられる２つの表示部がバックライトを共有しているため、その間に他の回路を挿入できずデザインの自由度が制限されるという問題もあるが、本実施形態のデジタルカメラ１では、バックライトを共有しないため、このような問題も解消することとなる。
【００２４】
スイッチ群２２は、４つのモード切替スイッチ２２ａ〜２２ｄで構成されている。モード切替スイッチ２２ａは、表示切替スイッチとして働き、このスイッチ２２ａに対するユーザの押下操作により、▲１▼情報表示を伴う背面表示部２１の表示、▲２▼情報表示を伴わない背面表示部２１の表示、▲３▼前面表示部１１のみの表示、▲４▼前面表示部１１と背面表示部２１との表示、をサイクリックに切り替えられる構成となっている。
【００２５】
また、モード切替スイッチ２２ｂでは、前面表示部１１を照明として利用して撮影する照明撮影モードに設定できるとともに、モード切替スイッチ２２ｃでは、マクロ撮影を行うマクロ撮影モードに設定できる。さらに、モード切替スイッチ２２ｄでは、フラッシュ部１３を被写体に向けて発光させるフラッシュ撮影モードに設定できる。
【００２６】
ズーム操作ボタン２３は、撮影レンズ部２５（図２）のズーム操作を指示する部材であり、ボタン２３ａまたはボタン２３ｂを押下することで、ズームインまたはズームアウトを行える。
【００２７】
露出補正ボタン２４は、ユーザ操作により露出を補正するための部材である。なお、露出補正ボタン２４については、撮影時に前面表示部１１の輝度を補正する輝度補正ボタン（後述）としても機能する。
【００２８】
図２は、デジタルカメラ１の機能ブロックを示す図である。
【００２９】
デジタルカメラ１は、撮影レンズ部２５と、ＣＣＤ（Ｃｈａｒｇｅ  Ｃｏｕｐｌｅｄ  Ｄｅｖｉｃｅ）２６と、ＣＣＤ２６に接続する画像処理部２７とを備えている。また、デジタルカメラ１は、画像処理部２７に接続する制御部３０と、制御部３０に接続するズーム駆動部３１とを有するとともに、制御部３０を介して各部に電力を供給する電源部３２と、スイッチ群２２やズーム操作ボタン２３を含む操作部３３とを有している。
【００３０】
撮影レンズ部２５は、上記の開口部（入射面）１２を有し、焦点距離の変更可能な光学ズームレンズ部として機能する。また、撮影レンズ部２５は、屈折光学系（折り曲げ光学系）ＯＰを有しており、開口部１２から入射する光を９０度曲げてＣＣＤ２６に導く。このような構成の撮影レンズ部２５により、ズーム時でも開口部１２が筐体１０から突出せず、デジタルカメラ１の前面に対する開口部１２の相対位置が不変となる。
【００３１】
また、撮影レンズ部２５は、マクロ撮影も可能な光学系となっている。
【００３２】
ＣＣＤ２６は、撮影レンズ部２５を介して入射する被写体像を光電変換して画像信号を生成する撮像素子であり、被写体に係る画像データを取得する撮像手段として機能する。
【００３３】
画像処理部２７は、ＣＣＤ２６から出力される画像信号をＡ／Ｄ変換し、γ補正やホワイトバランス（ＷＢ）補正などの画像処理を行う。この画像処理２７で画像処理された画像データは、前面表示部１１や背面表示部２１に表示を行えるとともに、記録媒体として働くメモリカード９に記録できる。
【００３４】
制御部３０は、ＣＰＵおよびメモリを有しており、デジタルカメラ１を統括制御する部位である。この制御部３０は、ズーム操作ボタン２３に対するユーザ操作に応答し、ズーム駆動部３１を介して撮影レンズ部２５内のレンズ群を駆動することで、被写体の倍率を変更する。
【００３５】
電源部３２は、電池を保持する電池保持部として機能する。
【００３６】
次に、デジタルカメラ１の筐体１０内において、主要な部位が配置される様子を、以下で説明する。
【００３７】
図３は、デジタルカメラ１における各部のレイアウトを示す図である。図３（ａ）は、ＸＹ平面における配置を示し、図３（ｂ）は、ＹＺ平面における配置を示している。
【００３８】
筐体１０内には、制御部３０などを搭載した基板（太線部）３５と、メモリカード９を保持する媒体保持部９０が設けられている。
【００３９】
第１表示部１１は、一定の大きさを持つ主要な部位である撮影レンズ部２５、背面表示部２１、電源部３２や媒体保持部９０とデジタルカメラ１の奥行き方向（Ｚ方向）に関して重畳しない位置に配置されている。これにより、デジタルカメラ１の厚みが増すのを抑制できる。
【００４０】
＜デジタルカメラ１の動作＞
以下では、デジタルカメラ１の動作、特に前面表示部１１を利用したデジタルカメラ１の動作を説明する。
【００４１】
図４は、前面表示部１１を利用したデジタルカメラ１の動作を説明するフローチャートである。本動作は、制御部３０で実行される。
【００４２】
ステップＳ１では、モード切替スイッチ２２ｂに対するユーザの操作により、照明撮影モードに設定されたかを判定する。ここで、照明モードに設定されている場合には、ステップＳ２に進み、設定されていない場合には、ステップＳ８に進む。
【００４３】
ステップＳ２では、前面表示部１１を点灯する。この場合、前面表示部１１は例えば白色で発光し、照明として被写体に照射される。この照明撮影モードでは、ユーザが輝度補正ボタン２４ａ、２４ｂを操作することにより、前面表示部１１の輝度を変更できる。
【００４４】
前面表示部１１を照明として利用する場合には、制御部３０でフラッシュを自動オフする、つまりフラッシュ部１３の発光を禁止する。これにより、ユーザが所望する色（以下で詳述）で被写体を適切に照明することが可能となる。
【００４５】
ステップＳ３では、前面表示部１１の照明色を変更するかを判定する。ここでは、ユーザにより前面表示部１１の表示色の選択を行うための画像をスーパーインポーズで背面表示部２１に表示し、初期設定の白色から色が変更されたかを判断する。ここで、照明色を変更する場合には、ステップＳ４に進み、変更しない場合には、ステップＳ６に進む。
【００４６】
ステップＳ４では、ユーザが操作部３３を操作して、前面表示部１１の照明色が選択される。この場合、画像処理部２７におけるホワイトバランス補正では、自動ではなく所定の固定値に設定されるとともに、被写体に関するＡＥが行われる。
【００４７】
ステップＳ５では、ステップＳ４で選択された色で前面表示部１１を調色する。すなわち、前面表示部１１のバックライトにおけるＲＧＢの各ＬＥＤを制御することにより、所望の照明色を実現する。
【００４８】
ステップＳ６では、画像処理部２７においてＡＷＢ（自動ホワイトバランス）を行うとともに、被写体に関するＡＥを行う。
【００４９】
ステップＳ７では、ユーザがシャッターボタン１４を押下することにより、被写体を撮影して、画像データをメモリカード９に記録する。
【００５０】
ステップＳ８では、モード切替スイッチ２２ｃに対するユーザの操作により、マクロ撮影モードに設定されているかを判定する。ここで、マクロ撮影モードに設定されている場合には、ステップＳ９に進み、設定されていない場合には、ステップＳ１１に進む。
【００５１】
ステップＳ９では、前面表示部１１の画面全体を単一色で点灯する。このようにマクロ撮影モードが設定される場合には、前面表示部１１を自動的に照明として機能させるとともに、フラッシュ部１３での発光を禁止する。これにより、被写体に対して均一な照明が行えることとなる。すなわち、フラッシュ部１３の発光では露光量調整が困難な場合でも、綺麗なマクロ撮影が可能となる。
【００５２】
ステップＳ１０では、ステップＳ６と同様に、ＡＷＢおよびＡＥを行う。
【００５３】
ステップＳ１１では、被写体に関するＡＥを行う。
【００５４】
ステップＳ１２では、モード切替スイッチ２２ｄに対するユーザの操作により、フラッシュ撮影モードに設定されているかを判定する。ここで、フラッシュ撮影モードに設定されている場合には、ステップＳ１３に進み、設定されていない場合には、ステップＳ７に進む。
【００５５】
ステップＳ１３では、制御部３０からフラッシュ部１３での発光を指示することにより、フラッシュ部１３を発光させる。このフラッシュ部１３の発光量は、ステップＳ１１で行ったＡＥの結果が反映される。
【００５６】
デジタルカメラ１では、上記の動作以外にも、前面表示部１１を利用する利用形態を考えられるが、これを以下で説明する。
【００５７】
（１）自分を撮影する場合
デジタルカメラ１で自分を撮影する場合には、ユーザが表示切替スイッチ２２ａを操作し、前面表示部１１での表示を選択する。この場合、前面表示部１１には、本撮影前に動画的態様で被写体を表示するライブビュー表示が行われる。これにより、ＣＣＤ２６で取得される自分の画像を視認することができ、利便性が向上する。
【００５８】
（２）動画撮影モードで利用する場合
デジタルカメラ１が動画撮影機能を有している場合、動画撮影モード時に前面表示部１１を照明として機能させる。これにより、フラッシュ発光の一時的な発光と異なり、連続的に輝度を確保できることとなる。また、動画撮影中に前面表示部１１の色を様々なパターンで変化させる変色機能によって、撮影中に色が変化し幻想的な演出が可能となる。
【００５９】
（３）販売店などで利用する場合
販売店でのデジタルカメラ１の展示においては、前面表示部１１をＰＯＰ的に使うことで店頭効果を増し、需要を喚起できる。以下で、具体例を説明する。
【００６０】
図５は、ディスプレイモードにおける前面表示部１１での表示の様子を示す図である。
【００６１】
デジタルカメラ１では、前面表示部１１に独立して任意の画像を表示する、つまり前面表示部１１のみで所定の表示を行うディスプレイモードが設定できる。このディスプレイモードにおいて、画像Ｇａのようにデジタルカメラ１の特徴などを前面表示部１１に表示すれば、顧客へのアピールを高めることができる。
【００６２】
ディスプレイモードは、デジタルカメラ１の隠しモードとして設けられるのが好ましい。そして、例えばメモリカード９にディスプレイモードで使用する特別なフォルダが存在する場合にのみ、前面表示部１１にその内容を表示させる。また、ディスプレイモードは、デジタルカメラ１の電源ＯＮ後の一定時間で起動し、デジタルカメラ１の操作が行われる場合には解除するのが好ましい。
【００６３】
以上のデジタルカメラ１の構成および動作により、撮影レンズ部２５の開口部１２が筐体１０に固定され、デジタルカメラ１の前面に前面表示部１１が設けられているため、簡易な構成で、光学ズームを伴う自分撮りを快適に行える。すなわち、自分自身を撮影する場合、前面表示部１１で容易に構図を確認できるとともに、変倍（ズーム）操作時でも撮影レンズの鏡胴が突出しないため、鏡胴で前面表示部１１の表示画面が隠れることもなく、視認性を確保できる。
【００６４】
また、マクロ撮影などの近接での撮影において、前面表示部１１を所望の色で発光させて被写体に照射できるため、様々な色合いの光による絵作りが可能となる。
【００６５】
また、動画撮影時に刻々と前面表示部１１の色を変化させることで、絵作りの可能性を広げることが可能となる。
【００６６】
さらに、幼児などに対する近接撮影時にも、フラッシュ発光による強度の高い光を照射せずに、前面表示部１１によるソフトな光を照射すれば、眼にやさしい撮影となる。
【００６７】
上述したデジタルカメラ１では、Ｙ軸方向に沿って撮影レンズ部２５が縦置きに配置されているが、Ｘ軸に沿って撮影レンズ部２５が横置きに配置されても良い。このような配置のデジタルカメラ１Ａに関して、以下で説明する。
【００６８】
図６は、デジタルカメラ１Ａにおける各部のレイアウトを示す図である。図６（ａ）は、ＸＹ平面における配置を示し、図６（ｂ）は、ＹＺ平面における配置を示している。
【００６９】
撮影レンズ部２５が横置きとなっているため、筐体１０内の主要な部位、つまり前面表示部１１、背面表示部２１、フラッシュ部１３、電源部３２および媒体保持部９０の配置が、図３に示すデジタルカメラ１に対して変更されている。
【００７０】
このレイアウトでも、デジタルカメラ１Ａの厚さ（Ｚ軸方向の幅）を薄くするように配慮されている。例えば、前面表示部１１は、図６（ａ）のように背面表示部２１と重なる配置となっているが、電源部３２や媒体保持部９０とは重ならない。すなわち、前面表示部１１は、背面表示部２１、撮影レンズ部２５、電源部３２および媒体保持部９０のうち２以上の部位と、デジタルカメラ１の奥行き方向（Ｚ方向）に関して重畳しないように配設されるため、デジタルカメラ１Ａの厚みが増加するのを抑えている。
【００７１】
＜変形例＞
◎上記の実施形態における前面表示部については、透過型の液晶ディスプレイであるのは必須でなく、これと異なるタイプである反射型の液晶ディスプレイでも良い。この場合でも、前面表示部に任意の画像が表示でき、また反射型液晶のメモリ機能を利用してプリインストールされたキャラクターや模様の表示も可能となる。これにより、デジタルカメラの個性をアピールできる。
【００７２】
また、反射型液晶ディスプレイがフロントライトを有する場合には、このフロントライトを発光させることで、前面表示部を照明として機能させることができる。
【００７３】
◎上記の実施形態における撮影レンズ部については、屈折光学系を有するのは必須でなく、インナーズームレンズで構成されても良い。このインナーズームレンズでは、ズーム時でも撮影レンズの第１群が固定、すなわち撮影レンズ部の入射面が移動しないため、鏡胴が突出することがなく、屈折光学系と同様に視認性を確保できる。
【００７４】
◎上記の実施形態における開口部については、デジタルカメラの前面に沿って固設されるのは必須でなく、デジタルカメラの前面から多少とび出た位置に固定されても良い。この場合でも、ズーミング時には開口部が移動しないため、前面表示部の表示画面の視認性を確保できる。
【００７５】
◎上述した具体的実施形態には、以下の構成を有する発明が含まれている。
【００７６】
（１）第１表示部は、第２表示部と異なるタイプの表示部であることを特徴とする撮像装置。
【００７７】
これにより、撮像装置の薄型化に寄与できる。
【００７８】
（２）第１表示部は、反射型液晶ディスプレイであり、第２表示部は、透過型液晶ディスプレイであることを特徴とする撮像装置。
【００７９】
これにより、撮像装置の厚みを薄くできる。
【００８０】
（３）第１表示部のみで所定の表示を行うディスプレイモードに設定する手段を備えることを特徴とする撮像装置。
【００８１】
これにより、第１表示部に撮像装置の特徴などを表示して店頭に展示する場合には、店頭での顧客の購買意欲を増大できる。
【００８２】
【発明の効果】
以上説明したように、請求項１ないし請求項５の発明によれば、被写体に係る画像データに基づく表示が可能な第１表示部は被写体と対向する撮像装置の前面に設けられ、ズームレンズ部の前面はズーム時でも撮像装置の前面に対する相対位置が不変である。その結果、簡易な構成で、光学ズームを伴う自分撮りを快適に行える。
【００８３】
特に、請求項２の発明においては、第１表示部が第２表示部、ズームレンズ部、電池保持部および媒体保持部のうち２以上の部位と、撮像装置の奥行き方向に関して重畳しないように配設されるため、撮像装置の厚みが増加するのを抑えることがきる。
【００８４】
また、請求項３の発明においては、第１表示部によって被写体を照明する照明モードを有するため、フラッシュ部と異なる補助光源として第１表示部を利用できる。
【００８５】
また、請求項４の発明においては、マクロ撮影モードに設定される場合には、フラッシュ部での発光を禁止するとともに、第１表示部の画面を単一色で点灯して被写体を照明するため、被写体に対して適切な光源を提供でき、綺麗な撮影画像を取得できる。
【００８６】
また、請求項５の発明においては、第１表示部では照明色および／または輝度が変更可能であるため、様々な照明効果を実現できる。
【図面の簡単な説明】
【図１】本発明の実施形態に係るデジタルカメラ１を示す外観図である。
【図２】デジタルカメラ１の機能ブロックを示す図である。
【図３】デジタルカメラ１における各部のレイアウトを示す図である。
【図４】前面表示部１１を利用したデジタルカメラ１の動作を説明するフローチャートである。
【図５】ディスプレイモードにおける前面表示部１１での表示の様子を示す図である。
【図６】デジタルカメラ１Ａにおける各部のレイアウトを示す図である。
【符号の説明】
１、１Ａ  デジタルカメラ
９  メモリカード
１０  筐体
１１  前面表示部
１２  撮影レンズ部の開口部（入射面）
１３  フラッシュ部
２１  背面表示部
２２  スイッチ群
２３、２３ａ、２３ｂ  ズーム操作ボタン
２４、２４ａ、２４ｂ  露出補正ボタン（輝度補正ボタン）
２５  撮影レンズ部
３２  電源部
９０  媒体保持部
【図１】
2004241883.tif 000003
【図２】
2004241883.tif 000004
【図３】
2004241883.tif 000005
【図４】
2004241883.tif 000006
【図５】
2004241883.tif 000007
【図６】
2004241883.tif 000008